(57)【要約】【課題】  従来、被加工物を基準となる１点を中心に任意の角度で分割する為には、定規やコンパス等を用いて中心からの角度を測った上で、マーキングし、分割作業を行う必要があった。特に５等分や７等分など、被加工物を奇数に等分する事は、上記作業を伴うか、専用の工具を必要とした。【解決手段】  本発明は、ラインレーザーとミラーを用いて任意の角度で交わるライン光を被加工物に照射する器具と保持具と任意の工具によって、被加工物を基準となる１点を中心に任意の角度で分割できる簡易な手法を提供するものである。【選択図】図９
2017217750.tif 000002
【特許請求の範囲】
【請求項１】
ラインレーザー１とラインレーザーを反射するミラー２ａ又はプリズム２ｂを有し、ミラー２ａ又はプリズム２ｂがラインレーザー１に対して任意の角度３を形成し、ラインレーザー１から発せられたライン光４と、ミラー２ａ又はプリズム２ｂで折り返されたライン光５が折り返し点６を中心に任意の反射角度７を形成し、ライン光４と任意の反射角度７で折り返されたライン光５を被加工物１２に対して照射する器具。
【請求項２】
ラインレーザー１を中心に回転するミラーホルダー８とミラーホルダー８に固定されたミラー２ａ又はプリズム２ｂによって、ラインレーザー１から発せられたライン光４がミラー２ａ又はプリズム２ｂで折り返され、ミラーホルダー８を回転させることによって、任意の反射角度７を調整できるようにした器具。
【請求項３】
ラインレーザー１と被加工物１２の距離を一定に保ち、被加工物１２の分割中心点２０を中心としてラインレーザー１が回転できる保持具１４。
【請求項４】
保持具１４が、尖端１５、または回転刃１６、または刃を有する工具１７、またはペン１８、または針１９を有する、もしくは脱着可能な機構を持ち、ライン光４と任意の反射角度７で折り返されたライン光５を目印、またはガイドラインとして、被加工物１２に対してカット、またはマーキング、または刻印の加工を行なう器具。
【請求項５】
３６０度を任意の整数値で容易に等分割できるようにする為、任意の反射角度７が３６０度の整数分の１となるように、整数の数値を記載した目盛９またはラッチ１０またはダイヤル１１を有するミラーホルダー８。
【発明の詳細な説明】
【技術分野】
【０００１】  本発明は、ライン光を用いて、基準となる１点を中心に、被加工物を任意の角度で分割する汎用工具に関するものである。
【背景技術】
【０００２】  従来、被加工物を１点を中心に任意の角度で分割する為には、定規やコンパス等を用いて中心からの角度を測った上で、マーキングし、分割作業をする必要があった。特に５等分や７等分など、被加工物を任意の奇数に分割する事は、上記作業を伴うか、予め必要な分割数のマーキングが施された専用の道具を必要とした。
【先行技術文献】
【特許文献】
【０００３】
【特許文献１】特表２０００−５０５００２
【特許文献２】特開２０１２−１６６３０７
【特許文献３】特表２０１３−５２０２２８
【発明の概要】
【発明が解決しようとする課題】
【０００４】    解決しようとする問題点は、被加工物を基準となる１点を中心に任意の角度で分割する際に、角度の測定と決定のプロセスが煩雑である点であり、目視確認と分割作業が容易にできる工具を提供することを課題とする。
【課題を解決するための手段】
【０００５】  本発明は、ラインレーザーとミラーを用いて任意の角度で交わるライン光を被加工物に照射し、照射されたライン光を目印とする事で、被加工物を基準となる１点を中心に任意の角度に分割する作業を容易化することを最も主要な特徴とする。
【発明の効果】
【０００６】  本発明は、ライン光を照射することにより、分割する対象となる被加工物の形状や色や素材や状態、及び、環境の光や空気の有無などの条件に制約を受けること無く、目視可能かつ正確なガイドラインを常に提供する事ができる。【０００７】本発明は、ライン光を折り返すミラーの角度を可変とし、簡易な角度設定手段を有するので、任意の分割角度や任意の分割数の設定を容易にする事ができる。【０００８】本発明は、ライン光の生成部と保持具に、尖端または回転刃または刃を有する工具またはペン、または針などの任意の工具を装着する事ができる為、カットやマーキング、または刻印などの、幅広い加工作業に対応する事ができる。
【図面の簡単な説明】
【０００９】
【図１】ラインレーザーの説明図。（ａ）は平面図。（ｂ）は斜視図。
【図２】ラインレーザーとミラーの関係図。（ａ）は平面図。（ｂ）は斜視図。
【図３】ミラーホルダーの説明図。（ａ）は平面図。（ｂ）は斜視図
【図４】ミラーホルダーの詳細図。（ａ）は平面図。（ｂ）は斜視図。
【図５】分割プロセスその１。
【図６】分割プロセスその２。
【図７】分割プロセスその３。
【図８】分割プロセスその４。
【図９】分割プロセスその５。
【図１０】分割プロセスその６。
【図１１】分割プロセスその７。
【図１２】尖頭を装着した実施例の説明図。
【図１３】回転刃を装着した実施例の説明図。
【図１４】刃を有する工具を装着した実施例の説明図。
【図１５】ペンを装着した実施例の説明図。
【図１６】針を装着した実施例の説明図。
【発明を実施するための形態】
【００１０】  被加工物を任意の分割数や任意の角度で容易に分割できるという目的を実現した。
【実施例１】
【００１１】  図１３は本発明工具の１実施例であり、ラインレーザーと回転するミラーホルダーに固定されたミラーと保持具と回転刃を有する器具である。【００１２】  図４、図５、図６、図７，図８、図９、図１０、図１１により、被加工物１２を、１点を中心に任意の数で等分割するプロセスを説明する。【００１３】  まず、分割したい数を決め、ミラーホルダー８を回転させて、目盛り９とダイヤル１１を分割したい数に合わせる。図４は５分割を行う際のダイヤルと目盛の状態を示しており、ラッチ１０によって任意の反射角度７は７２度に保持される。【００１４】次に図５により、円形の被加工物の分割中心点２０に回転刃１６を押し当てる。次に図６により、回転刃を外周に押し切り、中心点から１つ目の分割線２１を生成する。【００１５】  次に図７により、ラインレーザー１を発光させ、被加工物の分割中心点２０にライン光の垂線１３を合わせる。すると、回転刃に近接して、回転刃の進行方向と平行なライン光４と、設定された任意の反射角度７を有する折り返されたライン光５が被加工物に対して照射されるので、１つ目の分割線２１に対して、折り返されたライン光５が重なるように保持具１４の方向を調整する。その後、図８により、回転刃を被加工物の外周方向に押し切る事で、２つ目の分割線２２が生成される。【００１６】  更に図９、図１０により、同様の作業を行うことで３つ目の分割線２３が得られ、以後も同様の動作を繰り返す。図１１にて、５分割が完了した状態を示す。【００１７】  このように、１つ前の分割線に対して折り返されたライン光５を合わせ、ライン光４の指し示す方向に加工を行うだけで、容易に被加工物を等角度で分割する事ができ、特に５分割や７分割等の奇数の等分割を得たい場合に効果を発揮する。
【産業上の利用可能性】
【００１８】  被加工物や環境の制約を受けない為、ピザやケーキ等の円形の食品の分割、製図や工作、又は宇宙空間での作業などにも用いる事ができる。
【符号の説明】
【００１９】  １  ラインレーザー
２ａ  ミラー
２ｂ  プリズム
３  任意の角度
４  ライン光
５  折り返されたライン光
６  折り返し点
７  任意の反射角度
８  ミラーホルダー
９  目盛
１０  ラッチ
１１  ダイヤル
１２  被加工物
１３  ライン光の垂線
１４  保持具
１５  尖端
１６  回転刃
１７  刃を有する工具
１８  ペン
１９  針
２０  被加工物の分割中心点
２１  １つ目の分割線
２２  ２つ目の分割線
２３  ３つ目の分割線
２４  ４つ目の分割線
２５  ５つ目の分割線
【図１】
2017217750.tif 000003
【図２】
2017217750.tif 000004
【図３】
2017217750.tif 000005
【図４】
2017217750.tif 000006
【図５】
2017217750.tif 000007
【図６】
2017217750.tif 000008
【図７】
2017217750.tif 000009
【図８】
2017217750.tif 000010
【図９】
2017217750.tif 000011
【図１０】
2017217750.tif 000012
【図１１】
2017217750.tif 000013
【図１２】
2017217750.tif 000014
【図１３】
2017217750.tif 000015
【図１４】
2017217750.tif 000016
【図１５】
2017217750.tif 000017
【図１６】
2017217750.tif 000018